(57)【特許請求の範囲】
【請求項１】
機器本体を梱包するプラスチック段ボールよりなる外箱と、前記外箱内の底面左右に固定され機器本体の底面を位置規制して支持する樹脂緩衝材料または樹脂緩衝材料とプラスチック段ボールの組み合わせよりなる底面クッション右および底面クッション左と、機器本体の天板全面を保護するように装備する樹脂緩衝材料よりなる天面クッションと、外箱内と機器本体の前面間に装備する樹脂緩衝材料よりなる前クッションとを備え、前記外箱を構成する天面は、前記天面の一辺を前記外箱の側面と一体化して開閉自在とし、前記天面の他の３辺には締結穴を有する折込み代部を設け、前記外箱の側面には各折込み代部の締結穴を通して前記天面を前記外箱に締結し前記外箱の開口部を閉じる締結部材を設けた機器の梱包装置。
【請求項２】
少なくとも長手側の折込み代部と、前記長手側の折込み代部に対応する外箱の側面には、着脱自在な止め部材を設けた請求項１に記載の機器の梱包装置。
【発明の詳細な説明】
【技術分野】
【０００１】
本発明は、加熱調理器などの機器における環境にやさしいリターナブルな梱包装置に関するものである。
【背景技術】
【０００２】
従来、よく知られている機器の梱包装置は、紙段ボールの外箱と発泡スチロールでできた緩衝材で構成され、これら梱包材は、機器本体を外箱から出した後、最終ユーザーが廃棄処分するものである。ところが、最近では、紙段ボールや発泡スチロール製の緩衝材のごみを極力無くし、外箱や緩衝材などを回収し再利用する環境にやさしい梱包形態が提案
されてきている（例えば、特許文献１参照）。
【特許文献１】実用新案登録第３０６４３６６号公報
【発明の開示】
【発明が解決しようとする課題】
【０００３】
しかしながら、前記従来の構成では、外箱や緩衝材をプラスチック段ボールで構成して再利用できるものではあるが、底面の緩衝材は外箱から着脱自在の構成であるため、機器本体を外箱から取り出して施工する際や、外箱や緩衝材などの回収の際に欠品になりやすい。また、機器本体を外箱にセットする際に方向性が決まっている場合や、機器本体が非対称形状の場合などには、底面の緩衝材の外箱内へ設置する際に誤セットや、作業に手間がかかるという課題を有していた。また、底面の緩衝材と上面のパッキングとで機器本体の上下を挟み込み緩衝する構成であるため、比較的軽量の機器本体では適用できるが、重量が重く衝撃に弱い制御回路や、ガラスプレートを有する加熱調理器のような機器のリターナブル梱包としては、数十回の運送回転数に耐えうる強度に欠けるものであった。
【０００４】
本発明は、前記従来の課題を解決するもので、梱包作業を簡便にし、部材が欠品になりにくい構成と運送時の品質を十分確保でき、しかも最終ユーザーに無駄なごみを極力出さない環境に配慮した機器の梱包装置を提供することを目的とする。
【課題を解決するための手段】
【０００５】
前記従来の課題を解決するために、本発明の機器の梱包装置は、機器本体を梱包するプラスチック段ボールよりなる外箱と、前記外箱内の底面左右に固定され機器本体の底面を位置規制して支持する樹脂緩衝材料または樹脂緩衝材料とプラスチック段ボールの組み合わせよりなる底面クッション右および底面クッション左と、機器本体の天板全面を保護するように装備する樹脂緩衝材料よりなる天面クッションと、外箱内と機器本体の前面間に装備する樹脂緩衝材料よりなる前クッションとを備え、前記外箱を構成する天面は、前記天面の一辺を前記外箱の側面と一体化して開閉自在とし、前記天面の他の３辺には締結穴を有する折込み代部を設け、前記外箱の側面には各折込み代部の締結穴を通して前記天面を前記外箱に締結し前記外箱の開口部を閉じる締結部材を設けたものである。
【０００６】
これによって、外箱と底面クッション右および底面クッション左との方向性は常時変わらず固定されているため、作業性が簡便で、しかも底面クッション右および底面クッション左が外箱の外に出されて欠品になることもなく、再利用に適したものである。また、機器本体の底面を位置規制して支持する底面クッション右および底面クッション左と、天面クッションと、前クッションとにより、外箱と梱包された機器本体との空間距離が十分確保され、上下左右および前後からの運送時の衝撃に対して緩衝性が向上し、環境に配慮した機器の梱包装置を提供することができる。
【０００７】
また、天面の開閉が簡便で、しかも締結部材が天面の３辺の折込み代部に配設された締結穴を通して天面を外箱に締結しているため、仮に運送時に天地逆にひっくり返されても、機器本体がむき出しになったり外に投げ出されたりすることなく、再利用に十分耐えうる耐久強度と信頼性を確保することができる。
【発明の効果】
【０００８】
本発明の機器の梱包装置は、梱包作業を簡便にし、部材が欠品になりにくい構成と運送時の品質を十分確保し、環境に配慮したものとすることができる。
【発明を実施するための最良の形態】
【０００９】
第１の発明は、機器本体を梱包するプラスチック段ボールよりなる外箱と、前記外箱内の底面左右に固定され機器本体の底面を位置規制して支持する樹脂緩衝材料または樹脂緩
衝材料とプラスチック段ボールの組み合わせよりなる底面クッション右および底面クッション左と、機器本体の天板全面を保護するように装備する樹脂緩衝材料よりなる天面クッションと、外箱内と機器本体の前面間に装備する樹脂緩衝材料よりなる前クッションとを備え、前記外箱を構成する天面は、前記天面の一辺を前記外箱の側面と一体化して開閉自在とし、前記天面の他の３辺には締結穴を有する折込み代部を設け、前記外箱の側面には各折込み代部の締結穴を通して前記天面を前記外箱に締結し前記外箱の開口部を閉じる締結部材を設けた機器の梱包装置とすることにより、外箱と底面クッション右および底面クッション左との方向性は常時変わらず固定されているため、作業性が簡便で、しかも底面クッション右および底面クッション左が外箱の外に出されて欠品になることもなく、再利用に適したものである。また、機器本体の底面を位置規制して支持する底面クッション右および底面クッション左と、天面クッションと、前クッションとにより、外箱と梱包された機器本体との空間距離が十分確保され、上下左右および前後からの運送時の衝撃に対して緩衝性が向上し、環境に配慮した機器の梱包装置が提供することができる。
【００１０】
また、外箱を構成する天面は、その一辺を外箱の側面と一体化して開閉自在とし、天面の他の３辺には締結穴を有する折込み代部を設け、外箱の側面には各折込み代部の締結穴を通して天面を外箱に締結し外箱の開口部を閉じる締結部材を設けたことにより、天面の開閉が簡便で、しかも締結部材が天面の３辺の折込み代部に配設された締結穴を通して天面を外箱に締結しているため、仮に運送時に天地逆にひっくり返されても、機器本体がむき出しになったり外に投げ出されたりすることなく、再利用に十分耐えうる耐久強度と信頼性を確保することができる。
【００１１】
第２の発明は、特に、第１の発明において、少なくとも長手側の折込み代部と、前記長手側の折込み代部に対応する外箱の側面には、着脱自在な止め部材を設けたことにより、長手側の折込み代部が開こうとするのを防ぎ、締結部材による締め付け固定を補強することができる。特に、止め部材は折込み代部の両端に設けると効果的である。
【００１２】
以下、本発明の実施の形態について、図面を参照しながら説明する。なお、この実施の形態によって本発明が限定されるものではない。
【００１３】
（参考の形態１）
図１は、本発明の参考の形態１における機器の梱包装置を示すものである。
【００１４】
図に示すように、本参考の形態における機器の梱包装置は、機器本体４を梱包するプラスチック段ボールよりなる外箱１と、この外箱１内の底面左右に接着剤などで固定され機器本体４の底面を位置規制して支持する樹脂緩衝材料または樹脂緩衝材料とプラスチック段ボールの組み合わせよりなる底面クッション右２および底面クッション左３と、機器本体４の天板全面を保護するように装備する樹脂緩衝材料よりなる天面クッション５と、外箱１内と機器本体４の前面間に装備する樹脂緩衝材料よりなる前クッション６とを備えたものである。
【００１５】
底面クッション右２および底面クッション左３は、外箱１の正面７に向かって底面左右に略対称に設けられ、機器本体４の底面形状に沿った形状をしていて、機器本体４が前後左右にずれないように位置規制している。また、この底面クッション右２および底面クッション左３、天面クッション５、前クッション６を構成する樹脂緩衝材料は、緩衝性、耐久性の高い発泡ポリエチレンなどからなっている。
【００１６】
また、機器本体４としては、本参考の形態では、キッチンカウンターに組み込むビルトイン式の誘導加熱調理器を示している。
【００１７】
そして、外箱１の側面には天面８の一辺を一体化して開閉自在としており、機器本体４を外箱１内に梱包したのち、天面８を閉じ、紐やマジックテープ（登録商標）などの締結部材により締結されるものである。
【００１８】
以上のように構成された機器の梱包装置について以下その動作、作用を説明する。
【００１９】
まず、底面クッション右２と底面クッション左３が外箱１の底面左右に略対称に配設され、接着剤などで固定される。これら底面クッション右２と底面クッション左３は、緩衝性、耐久性の高い発泡ポリエチレンで構成されることで、重量が重く制御回路や、樹脂部材を内蔵する加熱調理器などの機器本体４を支持して位置規制するように作用する。また外箱１の正面７に向かって機器本体４の前面をセットするように底面クッション右２と底面クッション左３が接着剤などで固定されているので、手間取らずに簡便に梱包作業ができるように作用する。
【００２０】
次に、機器本体４の天板（誘導加熱調理器の場合はガラス製のトッププレート）全面を保護するように天面クッション５を装備し、かつ外箱１の前面と機器本体４の前面の間に発泡ポリエチレンよりなる前クッション６をセットすることで、外箱１と機器本体４の間に一定の空間距離が十分確保される。
【００２１】
このように、本参考の形態では、外箱と底面クッション右および底面クッション左との方向性は常時変わらず固定されているため、作業性が簡便で、しかも底面クッション右および底面クッション左が外箱の外に出されて欠品になることもなく、再利用に適したものである。また、機器本体の底面を位置規制して支持する底面クッション右および底面クッション左と、天面クッションと、前クッションとにより、外箱と梱包された機器本体との空間距離が十分確保され、上下左右および前後からの運送時の衝撃に対して緩衝性が向上し、環境に配慮した機器の梱包装置が提供することができる。
【００２２】
（実施の形態１）
図２、図３は、本発明の実施の形態１における機器の梱包装置を示すものである。なお、基本構成は参考の形態１と同様であるので、同一要素については同一符号を付してその説明を省略し、相違点を中心に説明する。
【００２３】
図２に示すように、本実施の形態では、外箱１を構成する天面１１は、その一辺を外箱１の正面１６に対向する外箱１の側面と溶着などで一体化して開閉自在とし、天面１１の他の３辺には締結穴１４ａ〜１４ｃを有する折込み代部１３を設け、外箱１の側面には各折込み代部１３の締結穴１４ａ〜１４ｃを通して天面１１を外箱１に締結し外箱の開口部１２を閉じる締結部材１５を設けたものである。締結部材１５は、マジックテープ（登録商標）付バンドなどからなり、天面１１を閉じたときに締結穴１４ａ〜１４ｃに対向する外箱１の３側面にリベット止めなどで固定されている。なお、天面１１と各折込み代部１３間には直角曲げ罫線１７を有している。
【００２４】
図３は、天面１１を閉じ締結部材１５を各締結穴１４ａ〜１４ｃに折り返して通し締結した状態を示している。
【００２５】
以上のように構成された機器の梱包装置について、以下その動作、作用を説明する。
【００２６】
機器本体４を外箱１に収納後、天面１１を閉じて開口部１２を塞ぎ、直角曲げ罫線１７を対向する側面に沿って折り曲げ、折込み代部１３で側面３辺を覆い、締結部材１５を締結穴１４ａ〜１４ｃに折り返して通して締結する（図３）。これにより、天地逆にひっくり返っても機器本体４がむき出しになったり、外に投げ出されたりすることなく、外箱１
の再利用に十分耐えうる耐久強度と信頼性を確保するように作用する。
【００２７】
このように、本実施の形態では、外箱を構成する天面は、その一辺を外箱の側面と一体化して開閉自在とし、天面の他の３辺には締結穴を有する折込み代部を設け、外箱の側面には各折込み代部の締結穴を通して天面を外箱に締結し外箱の開口部を閉じる締結部材を設けたことにより、天面の開閉が簡便で、しかも締結部材が天面の３辺の折込み代部に配設された締結穴を通して天面を外箱に締結しているため、仮に運送時に天地逆にひっくり返されても、機器本体がむき出しになったり外に投げ出されたりすることなく、再利用に十分耐えうる耐久強度と信頼性を確保することができる。
【００２８】
なお、外箱１と天面１１の一体化は天面１１の１辺を溶着する構成以外に、リベット止め固定や、罫線折り曲げ加工などの構成としてもよい。また、締結部材はマジックテープ（登録商標）付バンド以外に紐などであってもよく、取付け位置、数などは問わない。
【００２９】
（実施の形態２）
図４は、本発明の実施の形態３における機器の梱包装置を示すものである。なお、基本構成は参考の形態１、実施の形態１と同様であるので、同一要素については同一符号を付してその説明を省略し、相違点を中心に説明する。
【００３０】
図に示すように、本実施の形態では、天面２２の少なくとも長手側の折込み代部２３と、これに対応する外箱１の正面長手側の側面２１には、着脱自在な止め部材２４、２５を設けたものである。止め部材２４、２５としては、マジックテープ（登録商標）を例示しているが、フック、磁石など種々のものがあり、限定されるものではない。そして、止め部材２４、２５は、各折込み代部に設けることも可能であるが、長手側の折込み代部２３は辺が長いため反発力が働きの両端が開こうと作用するので、中央の締結部材１５を中心に両端に設けると効果的である。
【００３１】
このように、本実施の形態では、天面の少なくとも長手側の折込み代部と、これに対応する外箱の側面に着脱自在な止め部材を設けたことにより、長手側の折込み代部が開こうとするのを防ぎ、締結部材による締め付け固定を補強することができる。これにより、外箱の再利用に十分耐えうる耐久強度と信頼性を十分確保することができる。
【００３２】
（参考の形態２）
図５は、本発明の参考の形態２における機器の梱包装置を示すものである。なお、基本構成は参考の形態１、実施の形態１と同様であるので、同一要素については同一符号を付してその説明を省略し、相違点を中心に説明する。
【００３３】
図に示すように、本参考の形態では、天面クッション５の上面に、機器本体４の付属部品を収納する凹部からなる収納部３１ａ〜３１ｅを設けたものである。この収納部３１ａ〜３１ｅは、機器本体４の付属部品以外に別仕様の機器本体用の付属部品をも収納できるものである。
【００３４】
このように、本参考の形態では、天面クッションに、機器本体の付属部品を収納する収納部を設けたことにより、機器本体の形状は同一で仕様の異なる機器に対して、外箱の仕様を共用し標準化することができる。
【００３５】
（参考の形態３）
図６は、本発明の参考の形態３における機器の梱包装置を示すものである。なお、基本構成は参考の形態１、実施の形態１と同様であるので、同一要素については同一符号を付してその説明を省略し、相違点を中心に説明する。
【００３６】
図に示すように、本参考の形態では、天面クッション５と前クッション６は、外箱１から取り出し自在とするとともに、同色（例えば、青色）で、かつ表面に外箱１の従属部材であることがわかる表記３２（例えば、黒字で捺印）を施したものである。
【００３７】
このように、本参考の形態では、天面クッションと前クッションは、同色で、かつ外箱の従属部材であることがわかる表記を施したことにより、専用運送メーカーで外箱を仕分けする際に同類の異なるクッション部材との混入防止を図り、どの製品用のクッション部材かを判別することができる。
【００３８】
（参考の形態４）
図７は、本発明の参考の形態４における機器の梱包装置を示すものである。なお、基本構成は参考の形態１、実施の形態１と同様であるので、同一要素については同一符号を付してその説明を省略し、相違点を中心に説明する。
【００３９】
図に示すように、本参考の形態では、天面クッション５の上には、外箱１より取り出した機器本体４を載置する段ボール製の当て板４２を装備し、梱包したものである。当て板４２は、その表面に施工時のお願い内容などが印刷されているものであり、開梱されると施工時のお願い内容にしたがって施工業者が作業をするものである。
【００４０】
これにより、機器本体４を、例えば、キッチンカウンター４１などに設置する（組み込む）際に、当て板４２を外箱１から取り出し、機器本体４の下敷きとしてキッチンカウンター４１に仮置きし、キッチンカウンター天面を傷つけることなく施工することができるものである。
【００４１】
このように、本参考の形態では、段ボール製の当て板を装備したことにより、キッチンカウンター天面などを傷つけることなく施工することができ、使用後は必要最小限のごみとして施工業者が処分することができる。
【００４２】
（参考の形態５）
図８は、本発明の参考の形態５における機器の梱包装置を示すものである。なお、基本構成は参考の形態１、実施の形態１と同様であるので、同一要素については同一符号を付してその説明を省略し、相違点を中心に説明する。
【００４３】
図に示すように、本参考の形態では、機器本体４を保護部材５１により覆って外箱１内に梱包したものである。保護部材５１がポリシートの場合は、機器本体４の天板全面を覆うように被せてテープ５２で固定、梱包するものであるが、保護部材５１がポリ袋の場合は、機器本体４の天板あるいは機器本体４の全体を覆って被せるものである。
【００４４】
このように、本参考の形態では、機器本体を保護部材により覆うことにより、機器本体が施工現場に放置されても、施工されるまでの間その他の付帯工事で発生するほこりなどから保護し、外観を清潔に保つとともに機器本体内部へのほこりの侵入を防ぎ、性能劣化を防止することができる。
【００４５】
（参考の形態６）
図９は、本発明の参考の形態６における機器の梱包装置を示すものである。なお、基本構成は参考の形態１、実施の形態１と同様であるので、同一要素については同一符号を付してその説明を省略し、相違点を中心に説明する。
【００４６】
図に示すように、本参考の形態では、各種の機器本体４の共用事項６３ａ〜６３ｃを外
箱１の正面７表面に印刷し、梱包される機器本体４の固有情報は紙シート６１に記載して外箱１に設けたホルダー６２に取り出し自在に装備したものである。共用事項６３ａは品名、共用事項６３ｂは社名、共用事項６３ｃはケアマークなどであり、紙シート６１に記載する固有情報は、品番、質量表示などである。
【００４７】
このように、本参考の形態では、機器本体の共用事項と固有情報とを区分けして記載することにより、複数種類の機器本体に対して、外箱の共用化、標準化を図り安価な梱包を実現することができる。
【００４８】
（参考の形態７）
図１０、図１１は、本発明の参考の形態７における機器の梱包装置を示すものである。なお、基本構成は参考の形態１、実施の形態１と同様であるので、同一要素については同一符号を付してその説明を省略し、相違点を中心に説明する。
【００４９】
図に示すように、本参考の形態では、外箱１と底面クッション右２と底面クッション左３とは、幅寸法が異なる機器本体４のサイズに合わせてその組み合わせを変え、天面クッション５と前クッション６は共用としたものである。
【００５０】
すなわち、図１０に示す、底面クッション右２と底面クッション左３との組み合わせに対して、図１１に示す、機器本体４の幅寸法が大きくなる仕様では、外箱１と底面クッション右２にプラスチック段ボールでできたスペーサー右２ａを接着固定し、外箱１と底面クッション左３にプラスチック段ボールでできたスペーサー左３ａを接着固定した組み合わせに変えている。これにより幅寸法が異なる機器本体４のサイズに対応させている。
【００５１】
このように、本参考の形態では、外箱と底面クッション右と底面クッション左とは、幅寸法が異なる機器本体のサイズに合わせてその組み合わせを変えることにより、汎用性を広げ、最小限の部材新設で外箱の標準化を図り、安価で同一構成の外箱シリーズを展開することができる。
【産業上の利用可能性】
【００５２】
以上のように、本発明にかかる機器の梱包装置は、梱包作業を簡便にし、部材が欠品になりにくい構成と運送時の品質を十分確保し、環境に配慮したものとすることができるので、一般家庭の施工を伴う加熱調理機器などのリターナブル梱包として利用できる。
【図面の簡単な説明】
【００５３】
【図１】本発明の参考の形態１における機器の梱包装置の分解斜視図
【図２】本発明の実施の形態１における機器の梱包装置の外箱を示す斜視図
【図３】同機器の梱包装置の梱包完成状態を示す斜視図
【図４】本発明の実施の形態２における機器の梱包装置の外箱を示す斜視図
【図５】本発明の参考の形態２における機器の梱包装置の天面クッションを示す斜視図
【図６】本発明の参考の形態３における機器の梱包装置の前クッションと天面クッションを示す斜視図
【図７】本発明の参考の形態４における機器の梱包装置の施工状態を示す側面図
【図８】本発明の参考の形態５における機器の梱包装置の要部断面図
【図９】本発明の参考の形態６における機器の梱包装置の正面図
【図１０】本発明の参考の形態７における機器の梱包装置の要部断面図
【図１１】同機器の梱包装置の異なるサイズにおける要部断面図
【符号の説明】
【００５４】
１  外箱
２  底面クッション右
２ａ  スペーサー右
３  底面クッション左
３ａ  スペーサー左
４  機器本体
５  天面クッション
６  前クッション
７、１６  正面
８、１１、２２  天面
１２  開口部
１３  折込み代部
１４ａ〜１４ｃ  締結穴
１５  締結部材
２３  長手側の折込み代部
２４、２５  止め部材
３１ａ〜３１ｅ  収納部
３２  表記
４２  当て板
５１  保護部材
６１  紙シート
６２  ホルダー
６３ａ〜６３ｃ  共用事項
【図１】
0004400554.tif 000002
【図２】
0004400554.tif 000003
【図３】
0004400554.tif 000004
【図４】
0004400554.tif 000005
【図５】
0004400554.tif 000006
【図６】
0004400554.tif 000007
【図７】
0004400554.tif 000008
【図８】
0004400554.tif 000009
【図９】
0004400554.tif 000010
【図１０】
0004400554.tif 000011
【図１１】
0004400554.tif 000012